(57)【要約】  空気清浄機は、空気を清浄するフィルターと、フィルターを保持するケーシングと、フィルターを覆う前カバー（１０）と、フィルターに紫外線を照射する紫外線照射装置（７０）と、を備える。前カバー（１０）は、ケーシングに対して着脱自在である。紫外線照射装置（７０）は、ケーシング及び前カバー（１０）に覆われている。紫外線照射装置（７０）は、前カバー（１０）が取り外されると紫外線の照射を停止する。
2017183538.tif 000002
【特許請求の範囲】
【請求項１】
空気を清浄するフィルターと、
前記フィルターを保持するケーシングと、
前記ケーシングに対して着脱自在であり、前記フィルターを覆うカバーと、
前記ケーシング及び前記カバーに覆われ、前記フィルターに紫外線を照射する紫外線照射装置と、
を備え、
前記紫外線照射装置は、前記カバーが取り外されると紫外線の照射を停止する空気清浄機。
【請求項２】
前記ケーシングに設けられた電気接続受部と、
前記カバーに設けられ、前記電気接続受部に着脱自在に接続される電気接続部と、
を更に備え、
前記紫外線照射装置は、前記カバーに設けられ、
前記電気接続部は、前記カバーが前記ケーシングに取り付けられることによって前記電気接続受部に接続され、
前記紫外線照射装置には、前記電気接続受部に接続された前記電気接続部から通電する請求項１に記載の空気清浄機。
【請求項３】
前記ケーシングに設けられた接続受部と、
前記ケーシングに設けられた電気接続受部と、
前記カバーに設けられ、前記接続受部に着脱自在に接続される接続部と、
前記カバーに設けられ、前記電気接続受部と着脱自在に接続される電気接続部と、
を更に備え、
前記紫外線照射装置は、前記カバーに設けられ、
前記カバーは、前記接続部と前記接続受部とが接続されることによって前記ケーシングに取り付けられ、
前記電気接続部は、前記接続部と前記接続受部とが接続されることによって前記電気接続受部に接続され、
前記紫外線照射装置には、前記電気接続受部に接続された前記電気接続部から通電する請求項１に記載の空気清浄機。
【請求項４】
前記紫外線照射装置への通電は、前記カバーが前記ケーシングから取り外されると停止し、前記カバーが再び前記ケーシングに取り付けられると一定時間経過後に再開する請求項２または請求項３に記載の空気清浄機。
【請求項５】
前記カバーは、前記フィルターの正面に対向する内面を有し、
前記紫外線照射装置は、前記カバーの内面に設けられ、前記フィルターの正面に垂直な方向よりも前記フィルターの中央側に向けて紫外線を照射する請求項１から請求項４の何れか１項に記載の空気清浄機。
【請求項６】
前記カバー及び前記ケーシングの少なくとも一部には、前記紫外線照射装置によって照射された紫外線の反射を抑制する反射抑制部が形成されている請求項１から請求項５の何れか１項に記載の空気清浄機。
【請求項７】
気流を発生させる気流発生手段を更に備え、
前記カバーは、前記フィルターの正面に対向する内面を有し、
前記紫外線照射装置は、前記フィルターの正面に対して紫外線を照射し、
前記フィルターの正面を含む平面と前記カバーの内面を含む平面との間には、前記フィルターの正面方向から見た時に前記フィルターの外方に位置する吸込部が形成され、
前記気流発生手段は、前記吸込部から前記フィルターの正面に向かう気流を発生させ、
前記紫外線照射装置は、前記フィルターの中央よりも前記吸込部に近い位置に向かって紫外線を照射する請求項１から請求項４の何れか１項に記載の空気清浄機。
【請求項８】
前記紫外線照射装置は、前記フィルターの中央よりも前記吸込部に近い位置で前記カバーの内面に設けられ、前記フィルターの正面に対向している請求項７に記載の空気清浄機。
【請求項９】
前記フィルターには、長手方向に沿って山部と谷部とが連続して形成され、
前記カバーの内面には、前記フィルターの長手方向に沿って複数の前記紫外線照射装置が設けられている請求項７または請求項８に記載の空気清浄機。
【請求項１０】
前記気流発生手段は、前記フィルターの正面を含む平面を基準として前記カバーの反対側となる位置に形成された取込口から前記吸込部を介して前記フィルターの正面に向かう気流を発生させる請求項７から請求項９の何れか１項に記載の空気清浄機。
【請求項１１】
前記紫外線照射装置に、前記気流発生手段によって発生させられる気流が強いほど高出力の紫外線を照射させる第１制御手段を更に備える請求項７から請求項１０の何れか１項に記載の空気清浄機。
【請求項１２】
空気中に含まれる埃の量を検出する埃検出手段と、
前記紫外線照射装置に、前記埃検出手段によって検出された埃の量が多いほど高出力の紫外線を照射させる第２制御手段を更に備える請求項７から請求項１１の何れか１項に記載の空気清浄機。
【請求項１３】
空気の温度及び湿度の少なくとも一方を検出する環境検出手段と、
前記紫外線照射装置に、前記環境検出手段の検出結果に応じて照射する紫外線の出力を変更させる第３制御手段を更に備える請求項７から請求項１２の何れか１項に記載の空気清浄機。
【請求項１４】
前記紫外線照射装置は、紫外線発光ダイオードを有し、前記紫外線発光ダイオードが発した紫外線を前記フィルターに照射する請求項１から請求項１３の何れか１項に記載の空気清浄機。
【発明の詳細な説明】
【技術分野】
【０００１】
本発明は、空気清浄機に関する。
【背景技術】
【０００２】
特許文献１に、空気清浄機が記載されている。特許文献１に記載された空気清浄機は、本体ケースと前パネルとを備える。また本体ケースには、空気を清浄するフィルターが設けられる。前パネルは、本体ケースに設けられたフィルターの正面を覆っている。【０００３】
また特許文献２には、紫外線発光素子を備えた空気清浄装置が記載されている。特許文献２に記載された空気清浄装置は、紫外線発光素子によって照射される紫外線によって除菌を行う。
【先行技術文献】
【特許文献】
【０００４】
【特許文献１】日本特開２０１４−１０８３７１号公報
【特許文献２】日本特開２０１４−１００２０６号公報
【発明の概要】
【発明が解決しようとする課題】
【０００５】
上記特許文献１に記載の空気清浄機の使用者は、例えばフィルターを覆う前パネルを取り外すことによって、フィルターのメンテナンスを行うことができる。例えば上記特許文献２に記載の装置のように紫外線によってフィルターを除菌する場合、使用者が電源を切らずにフィルターを覆う部品を取り外すと、紫外線が使用者に照射されてしまうおそれがある。【０００６】
本発明は、上記のような課題を解決するためになされたものである。本発明の目的は、フィルターの除菌及びメンテナンスが可能であり、かつ使用者への紫外線の照射を防止できる空気清浄機を提供することである。
【課題を解決するための手段】
【０００７】
本発明に係る空気清浄機は、空気を清浄するフィルターと、フィルターを保持するケーシングと、フィルターを覆うカバーと、フィルターに紫外線を照射する紫外線照射装置と、を備える。カバーは、ケーシングに対して着脱自在である。紫外線照射装置は、ケーシング及びカバーに覆われており、カバーが取り外されると紫外線の照射を停止する。
【発明の効果】
【０００８】
本発明に係る空気清浄機は、フィルターを保持するケーシングに対して着脱自在なカバーと、フィルターに紫外線を照射する紫外線照射装置と、を備える。紫外線照射装置は、ケーシング及びカバーに覆われており、カバーが取り外されると紫外線の照射を停止する。このため、本発明によれば、フィルターの除菌及びメンテナンスが可能であり、かつ使用者への紫外線の照射を防止できる空気清浄機が得られる。
【図面の簡単な説明】
【０００９】
【図１】実施の形態１の空気清浄機の斜視図である。
【図２】実施の形態１の空気清浄機の第１の分解斜視図である。
【図３】実施の形態１の空気清浄機の第２の分解斜視図である。
【図４】実施の形態１の空気清浄機の縦断面図である。
【図５】実施の形態１の前カバーの内面を示す斜視図である。
【図６】実施の形態１のフィルターと紫外線照射装置との位置関係を示す水平断面図である。
【図７】実施の形態１の基板のブロック図である。
【図８】実施の形態１の基板の構成例を示す図である。
【図９】実施の形態１の空気清浄機の動作の一例を示すフローチャートである。
【発明を実施するための形態】
【００１０】
以下、添付の図面を参照して、実施の形態について説明する。尚、各図における同一部分または相当部分には、同一の符号を付して、重複する説明を簡略化または省略する。
【００１１】
実施の形態１．
図１は、実施の形態１の空気清浄機１００の斜視図である。図２は、実施の形態１の空気清浄機１００の第１の分解斜視図である。図３は、実施の形態１の空気清浄機１００の第２の分解斜視図である。また図４は、実施の形態１の空気清浄機１００の縦断面図である。図４は、図１中のＡ−Ａ位置における縦方向断面を示している。
【００１２】
ここで、図４における紙面上の上下方向を、本実施の形態における上下方向、すなわち縦方向とする。図４における紙面上の左右方向を、本実施の形態における前後方向とする。また図４における紙面に垂直な手前方向を、本実施の形態における左方向とする。図４における紙面に垂直な奥方向を、本実施の形態における右方向とする。すなわち図４における紙面に垂直な方向は、本実施の形態における側方である。
【００１３】
空気清浄機１００は、例えば本体部１とオートターンユニット９０とを備える。本体部１の形状は、例えば縦に長い直方体状である。オートターンユニット９０は、本体部１の下部に設けられる。オートターンユニット９０は、本体部１の向きを変える回転機構の一例である。本実施の形態においてオートターンユニット９０は、本体部１を支持する土台となる。空気清浄機１００は、例えばオートターンユニット９０が室内の床面に接地した状態で使用される。
【００１４】
本体部１は、例えば前カバー１０、後カバー１１及び側面カバー１２を備える。また本体部１は、例えば本体ケース２０、ファンユニット３０及びフィルター４０を備える。更に本体部１は、例えば基板ユニット５０及び上部ユニット６０を備える。
【００１５】
前カバー１０、後カバー１１及び側面カバー１２は、本体部１の外郭を形成する部位である。前カバー１０は、本体部１の前面部を形成する。前カバー１０は、外面及び内面を有する。前カバー１０の外面は、前方を向く。前カバー１０の内面は、後方を向く。後カバー１１は、本体部１の後面部を形成する。後カバー１１の外面は、後方を向く。後カバー１１の内面は、前方を向く。
【００１６】
側面カバー１２は、本体部１の側面部を形成する。本体部１は、例えば側面カバー１２を２つ備える。２つの側面カバー１２は、それぞれ本体部１の右側面部と左側面部とを形成する。本体部１の右側面部を形成する側面カバー１２の外面は、右方を向く。本体部１の右側面部を形成する側面カバー１２の内面は、左方を向く。本体部１の左側面部を形成する側面カバー１２の外面は、左方を向く。本体部１の右側面部を形成する側面カバー１２の内面は、右方を向く。
【００１７】
本体ケース２０は、ファンユニット３０及びフィルター４０が取り付けられる部位である。ファンユニット３０は、気流を発生させる気流発生手段の一例である。フィルター４０は、ファンユニット３０が発生させる気流によって取り込まれる空気を清浄する部品の一例である。
【００１８】
本体ケース２０は、例えば縦に長い形状である。本体ケース２０を前方から見た形状は、例えば縦に長い矩形状である。この本体ケース２０は、例えば前本体ケース２１と後本体ケース２２とが前後に組み合わさることによって形成される。前本体ケース２１は、本体ケース２０の前側部分を形成する部位である。後本体ケース２２は、本体ケース２０の後側部分を形成する部位である。前本体ケース２１は、後本体ケース２２の前部に結合される。すなわち後本体ケース２２は、前本体ケース２１の後部に結合される。
【００１９】
前本体ケース２１の上側の部分には、前後に貫通する上開口２１ａが形成される。前本体ケース２１の下側の部分には、前後に貫通する下開口２１ｂが形成される。後本体ケース２２は、壁面２２ａ及び仕切壁２２ｂを有する。壁面２２ａは、後本体ケース２２を前後に仕切る部位である。仕切壁２２ｂは、壁面２２ａから前方に向けて立つ壁状の部位である。
【００２０】
本体ケース２０の上側部分には、上開口２１ａと仕切壁２２ｂとによって、上スクロールハウジング２０ａが形成される。本体ケース２０の下側部分には、下開口２１ｂと仕切壁２２ｂとによって、下スクロールハウジング２０ｂが形成される。
【００２１】
空気清浄機１００は、一例としてファンユニット３０を２つ備える。上記の上スクロールハウジング２０ａ及び下スクロールハウジング２０ｂは、ファンユニット３０が収められる部位である。上スクロールハウジング２０ａ及び下スクロールハウジング２０ｂは、前方に向かって開口している。これによりファンユニット３０は、前方からの気流を発生させることができる。ファンユニット３０は、前方から空気を取り込むことができる。
【００２２】
また上スクロールハウジング２０ａは、上方に向く開口である第１上方開口２０ｃを有する。下スクロールハウジング２０ｂも同様に、上方に向く開口である第２上方開口２０ｄを有する。これにより、上スクロールハウジング２０ａまたは下スクロールハウジング２０ｂに設けられたファンユニット３０は、上方に向かう気流を発生させることができる。ファンユニット３０は、上方に向けて空気を吹き出す。
【００２３】
ファンユニット３０は、例えばモータ３１、モータカバー３２及び翼３３を有する。モータカバー３２は、モータ３１を覆う。翼３３は、モータ３１の回転軸３１ａに固定される。モータ３１が駆動すると、翼３３が回転する。これによりファンユニット３０は、気流を発生させる。ファンユニット３０は、気流を発生させることによって、空気を取り込んで吹き出す。
【００２４】
ファンユニット３０は、例えばシロッコファン等の遠心多翼ファンである。ファンユニット３０は、回転軸方向から空気を取り込み、径方向に空気を吹き出す。本実施の形態のファンユニット３０は上記のように、前方から空気を取り込んで上方に空気を吹き出す。
【００２５】
空気清浄機１００は、一例としてファンガード３４を備えてもよい。ファンガード３４は、ファンユニット３０の内部への異物の侵入を防止する部品である。ファンガード３４は、例えば格子状の部位と格子状の部位を囲む枠とによって形成される。空気清浄機１００は、例えばファンガード３４を２つ備える。２つのファンガード３４は、上開口２１ａと下開口２１ｂとをそれぞれ覆うように、前本体ケース２１に設けられる。
【００２６】
本実施の形態においてフィルター４０は、前本体ケース２１の内側に設けられる。フィルター４０は、例えば正面を前方に向けた状態で設けられる。フィルター４０は、例えば上下方向を長手方向とする形状に形成される。フィルター４０を前方から見た時の形状は、一例として縦に長い矩形状となっている。
【００２７】
本実施の形態のフィルター４０は、一例として、プレフィルター４１、ＨＥＰＡフィルター４２及び脱臭フィルター４３を有する。プレフィルター４１、ＨＥＰＡフィルター４２及び脱臭フィルター４３は、前方から後方に向かって順に設けられる。プレフィルター４１、ＨＥＰＡフィルター４２及び脱臭フィルター４３は、例えば正面を前方に向けた状態で設けられる。なおフィルター４０は本実施の形態に限られず、例えばＵＬＰＡフィルター等を有するものであってもよい。
【００２８】
プレフィルター４１は、空気中から埃を取り除くためのものである。プレフィルター４１は、大きい埃を空気中から取り除く。プレフィルター４１は、網目の大きいネットによって形成される。プレフィルター４１は、紫外線が網目を通過できるように形成されている。例えばプレフィルター４１を前方から通過した紫外線は、プレフィルター４１の後方に配置されたＨＥＰＡフィルター４２の正面に照射される。
【００２９】
ＨＥＰＡフィルター４２は、プレフィルター４１によって取り除かれなかったものを取り除くためのものである。ＨＥＰＡフィルター４２は、例えば微粒子等を含む塵埃を空気中から取り除く。またＨＥＰＡフィルター４２は、菌及びウイルス等の物質を空気中から取り除く。
【００３０】
ＨＥＰＡフィルター４２は、例えば濾材をプリーツ状に折って加工することで形成される。ＨＥＰＡフィルター４２には、交互に連続する山部と谷部とが形成される。ＨＥＰＡフィルター４２は、例えば山部と谷部とが上下方向に連続して並ぶ向きで配置される。すなわち本実施の形態のＨＥＰＡフィルター４２には、長手方向に沿って山部と谷部とが連続して形成されている。
【００３１】
脱臭フィルター４３は、プレフィルター４１及びＨＥＰＡフィルター４２を通過した空気中から臭い成分及び揮発性有機化合物を取り除くためのものである。脱臭フィルター４３は、空気中に含まれる臭い成分及び揮発性有機化合物を吸着または分解可能に形成される。
【００３２】
上記のようにファンユニット３０及びフィルター４０が取り付けられた本体ケース２０は、前カバー１０、後カバー１１及び側面カバー１２の内側に設けられる。前カバー１０、後カバー１１及び側面カバー１２は、本体ケース２０を覆うカバー類の一例である。
【００３３】
前カバー１０は、前本体ケース２１及びフィルター４０の前面を覆うように設けられる。前カバー１０は、例えば前本体ケース２１の前部に設けられる。すなわち前カバー１０は、本体ケース２０の前面を覆うように設けられる。前カバー１０の内面は、フィルター４０の正面に対向する。
【００３４】
前カバー１０を前方から見た形状は、例えば縦に長い矩形状である。前カバー１０の外面、言い換えると前面には、凹部１０ａが形成される。凹部１０ａは、例えば左右方向に長い形状に形成される。この凹部１０ａの左右方向の中心には、センサ開口１０ｂが形成されている。センサ開口１０ｂは、後述する人検出装置６５が臨む開口である。
【００３５】
後カバー１１は、本体ケース２０の後面を覆うように設けられる。後カバー１１を後方から見た形状は、例えば縦に長い矩形状である。また２つの側面カバー１２は、本体ケース２０の右側面及び左側面をそれぞれ覆うように設けられる。側面カバー１２を側方からみた形状は、例えば縦に長い矩形状である。後カバー１１及び側面カバー１２は、例えばネジ等によって本体ケース２０に取り付けられる。
【００３６】
側面カバー１２の外面には、手掛凹部１２ａが形成される。使用者は、例えば手掛凹部１２ａに手を掛けることによって、空気清浄機１００を移動させることができる。また側面カバー１２の前端部には、側面凹部１２ｂが形成される。側面凹部１２ｂは、空気清浄機１００の内側に向かって凹んでいる部位である。側面凹部１２ｂは、上下方向に沿って形成される。
【００３７】
前カバー１０は、例えば後カバー１１及び側面カバー１２が取り付けられた本体ケース２０に取り付けられる。前カバー１０と側面カバー１２とが合わさる位置には、側面凹部１２ｂによって隙間が形成される。前カバー１０と側面カバー１２とが合わさる位置の隙間によって、空気取込口１２ｃが形成される。空気取込口１２ｃは、空気清浄機１００の内部へ空気を取り込むための開口である。本実施の形態の空気取込口１２ｃは、空気清浄機１００に対して、側方外方を向く開口である。空気取込口１２ｃは、本体部１の側面に形成されている。空気取込口１２ｃは、例えば本体部１の右側面と左側面とに形成される。
【００３８】
基板ユニット５０は、例えば基板５１、第１基板ケース５２及び第２基板ケース５３を有する。基板５１には、例えば電子部品が実装される。また基板５１には、例えば印刷配線が設けられる。第１基板ケース５２は、基板５１を内部の収納する部品である。第１基板ケース５２は、例えば樹脂によって形成される。第２基板ケース５３は、内部に基板５１を収納した第１基板ケース５２を収納する部品である。第２基板ケース５３は、例えば金属によって形成される。
【００３９】
この基板ユニット５０は、一例として、上スクロールハウジング２０ａと下スクロールハウジング２０ｂとの間で、本体ケース２０に設けられる。本実施の形態における基板ユニット５０は、空気清浄機１００に備えられた各機器を制御する制御装置の一例である。
【００４０】
上部ユニット６０は、本体部１の上部を形成する部位である。上部ユニット６０は、例えば後カバー１１、側面カバー１２及び本体ケース２０の上部に設けられる。上部ユニット６０は、例えば枠体６１、ルーバー６２、ルーバー駆動モータ６３及び操作表示部６４を有する。また上部ユニット６０は、例えば人検出装置６５、センサ駆動モータ６６及び環境センサ６７を有する。
【００４１】
枠体６１は、上部ユニット６０の骨格を形成する部位である。枠体６１を上方から見た形状は、例えば矩形状である。枠体６１には、吹出口６１ａが形成される。吹出口６１ａは、例えば枠体６１の後側の部分に形成される。吹出口６１ａは、上方を向く矩形状の開口である。吹出口６１ａは、空気清浄機１００が清浄な空気を吹き出すための開口である。また枠体６１の前面には、後方に向けて凹む前面凹部６１ｂが形成されている。
【００４２】
ルーバー６２は、吹出口６１ａから空気が吹き出される向きを変えるものである。ルーバー６２は、例えば吹出口６１ａの左端と右端とを架け渡すように枠体６１に設けられる。枠体６１には、例えば２つのルーバー６２が設けられる。２つのルーバー６２は、例えば前後に並んで設けられる。
【００４３】
またルーバー６２は、例えば左右方向に伸びる回転軸を有する。ルーバー６２は、回転軸を中心として回転自在に形成される。ルーバー６２の回転軸の左端及び右端は、例えば枠体６１の内側の壁面に支持される。
【００４４】
ルーバー駆動モータ６３は、ルーバー６２を動かすモータである。ルーバー駆動モータ６３は、ルーバー６２を回転させることによって、ルーバー６２の向きを変える。ルーバー駆動モータ６３は、例えばルーバー６２の回転軸の端部に接続される。またルーバー駆動モータ６３は、例えば枠体６１の側面に設けられる。
【００４５】
操作表示部６４は、空気清浄機１００の状態を表示する部位である。また使用者は、例えば操作表示部６４を操作することによって空気清浄機１００の各種の設定条件を入力することができる。操作表示部６４は、例えば枠体６１の前側の部分の上面に設けられる。
【００４６】
操作表示部６４は、一例として電源スイッチ６４ａ、運転切替スイッチ６４ｂ及び運転状態表示部６４ｃを有する。電源スイッチ６４ａは、空気清浄機１００の電源をオンまたはオフにするためのである。運転切替スイッチ６４ｂは、例えば空気清浄機１００の運転状態を切替えるためのものである。また運転状態表示部６４ｃは、空気清浄機１００の運転状態を表示するものである。
【００４７】
人検出装置６５は、人の位置を検出する装置である。人検出装置６５は、人の存在を検知するための赤外線センサ６５ａを内部に有する。赤外線センサ６５ａは、例えば空気清浄機１００が設置された室内にいる人の位置及び数を検知する。人検出装置６５は、例えば前面凹部６１ｂに設けられる。人検出装置６５は、上述のように、センサ開口１０ｂに臨む位置に設けられる。人検出装置６５は、センサ開口１０ｂを介して、空気清浄機１００の外方を向く。
【００４８】
センサ駆動モータ６６は、人検出装置６５を回転させるものである。センサ駆動モータ６６は、例えば人検出装置６５に接続された状態で、枠体６１に設けられる。
【００４９】
環境センサ６７は、例えば空気清浄機１００が設置された室内の空気の温度及び湿度を検出する環境検出手段の一例である。なお環境センサ６７は、例えば空気の温度及び湿度の一方のみを検出するものであってもよい。環境センサ６７は、一例として、前面凹部６１ｂに設けられる。また前面凹部６１ｂには、例えば空気中に含まれる埃の量を検出する埃検出手段の一例として、埃センサ６８が設けられてもよい。
【００５０】
オートターンユニット９０は、上記のように構成された本体部１を、支持するものである。またオートターンユニット９０は、上記のように構成された本体部１を、回転させることによって向きを変える。オートターンユニット９０は、例えばベース台９１と底本体ケース９２を有する。
【００５１】
ベース台９１は、空気清浄機１００が使用される際に接地する部位である。ベース台９１は、例えば室内の床面に接地する。底本体ケース９２は、本体部１に接続される部位である。底本体ケース９２は、例えば本体ケース２０の下部に接続される。底本体ケース９２は、例えばベース台９１の上部に設けられる。底本体ケース９２は、ベース台９１に対して回転可能に形成される。
【００５２】
オートターンユニット９０は、例えば図示しない回転駆動ユニットを有する。回転駆動ユニットは、底本体ケース９２をベース台９１に対して回転させる機構である。実施の形態において本体部１は、底本体ケース９２とともに回転する。これにより、本体部１の向きが変わる。
【００５３】
上述のように、フィルター４０は、本体ケース２０に取り付けられている。後カバー１１及び側面カバー１２は、この本体ケース２０に固定される。また上部ユニット６０は、後カバー１１、側面カバー１２及び本体ケース２０の上部に設けられている。本実施の形態において、後カバー１１、側面カバー１２、本体ケース２０及び上部ユニット６０は、フィルター４０を保持するケーシングの一例である。
【００５４】
前カバー１０は、例えば上部ユニット６０に対して着脱自在に形成される。空気清浄機１００の使用者は、例えば前カバー１０を取外すことによって、フィルター４０の清掃等のメンテナンスを行うことができる。なお前カバー１０は、本実施の形態以外にも、例えば前本体ケース２１又は側面カバー１２に対して着脱自在に形成されてもよい。本実施の形態における前カバー１０は、フィルター４０を保持するケーシングに対して着脱自在なカバーの一例である。
【００５５】
また本実施の形態の空気清浄機１００は、紫外線照射装置７０を備える。紫外線照射装置７０は、紫外線を対象物に照射する装置である。紫外線照射装置７０は、例えば波長域が２００ｎｍから３５０ｎｍの高出力の深紫外線を照射する。紫外線照射装置７０によって照射される紫外線の波長域には、一例として２７０ｎｍが含まれる。
【００５６】
紫外線照射装置７０は、フィルター４０に対して紫外線を照射するように設けられる。すなわち紫外線照射装置７０は、フィルター４０によって捕集された物質に対して紫外線を照射する。フィルター４０によって捕集された物質には、例えば菌、ウイルス、臭い成分等が含まれる。紫外線照射装置７０は、フィルター４０によって捕集された物質に含まれる菌を紫外線によって殺菌することができる。また紫外線照射装置７０は、紫外線によって、ウイルス及び臭い成分等の不活性化を行うことができる。
【００５７】
紫外線による菌の殺菌、ウイルス及び臭い成分の不活性化等を、本実施の形態ではまとめて単に除菌と呼称する。紫外線照射装置７０は、除菌作用のある紫外線を照射する装置である。本実施の形態の紫外線照射装置７０は、フィルター４０を対象物として、紫外線による除菌を行う。
【００５８】
図５は、実施の形態１の前カバー１０の内面を示す斜視図である。図６は、実施の形態１のフィルター４０と紫外線照射装置７０との位置関係を示す水平断面図である。図６は、図４中のＢ−Ｂ位置における空気清浄機１００の水平方向断面を示している。
【００５９】
紫外線照射装置７０は、図５及び図６に示すように、例えば前カバー１０の内面に設けられる。一例として紫外線照射装置７０は、フィルター４０の正面に紫外線を照射するように設けられる。一例として紫外線照射装置７０は、フィルター４０の正面に対向するように設けられる。紫外線照射装置７０は、前カバー１０、後カバー１１、側面カバー１２、本体ケース２０、及び上部ユニット６０に覆われている。
【００６０】
紫外線照射装置７０は、例えば紫外線発光ダイオード７０ａ及び保持ケース７０ｂを有する。紫外線発光ダイオード７０ａは、紫外線を発する光源の一例である。保持ケース７０ｂは、紫外線発光ダイオード７０ａを保持する部材である。保持ケース７０ｂは、例えば前カバー１０の内面に固定される。本実施の形態の紫外線照射装置７０は、紫外線発光ダイオード７０ａが発した光をフィルター４０の正面に対して照射する。
【００６１】
空気清浄機１００は、例えば複数の紫外線照射装置７０を備える。複数の紫外線照射装置７０は、例えば図５に示すように、上下方向に沿って設けられる。すなわち本実施の形態において、複数の紫外線照射装置７０は、フィルター４０の長手方向に沿って設けられている。なお紫外線照射装置７０は、例えば図５に示すように、左右方向に沿って複数個設けられてもよい。本実施の形態では一例として、上下方向に４列で左右方向に２列の計８個の紫外線照射装置７０が前カバー１０の内面に設けられている。
【００６２】
また本実施の形態の空気清浄機１００の内部には、空気取込口１２ｃと吹出口６１ａとを繋ぐ風路が形成される。ファンユニット３０は、例えば空気取込口１２ｃと吹出口６１ａとを繋ぐ風路内に設けられる。フィルター４０は、例えば空気取込口１２ｃと吹出口６１ａとを繋ぐ風路内に設けられる。
【００６３】
空気清浄機１００には、例えば図６に示すように、吸込部１３が形成される。吸込部１３は、空気取込口１２ｃとフィルター４０との間に形成される。吸込部１３は、例えば前カバー１０と側面カバー１２とによって形成される。吸込部１３は、空気取込口１２ｃと吹出口６１ａとを繋ぐ風路の一部を形成する部分である。
【００６４】
吸込部１３は、一例としてフィルター４０よりも前方かつ前カバー１０よりも後方の位置に形成される。すなわち吸込部１３は、フィルター４０の正面を含む平面と前カバー１０の内面を含む平面との間に形成される。また吸込部１３は、一例としてフィルター４０よりも左方及び右方に形成される。すなわち吸込部１３は、フィルター４０の正面方向から見た時にフィルター４０の外方に位置する。なお吸込部１３は、例えばフィルター４０よりも上方または下方に形成されてもよい。
【００６５】
また一例として空気取込口１２ｃは、図６に示すように、フィルター４０の正面よりも後方に配置されている。言い換えると空気取込口１２ｃは、フィルター４０の正面を含む平面を基準として前カバー１０の反対側となる位置に形成されている。ファンユニット３０は、例えばこの空気取込口１２ｃから、吸込部１３及びフィルター４０を介し、吹出口６１ａに向かう気流を発生させる。すなわち本実施の形態においてファンユニット３０は、吸込部１３からフィルター４０の正面に向かう気流を発生させる。
【００６６】
紫外線照射装置７０は、例えばフィルター４０の正面に対し、フィルター４０の中央よりも吸込部１３に近い位置に向かって紫外線を照射するように設けられる。一例として紫外線照射装置７０は、フィルター４０の中央よりも吸込部１３に近い位置で前カバー１０の内面に設けられる。紫外線照射装置７０は、例えばフィルター４０の正面のうち、中央よりも吸込部１３に近い部分に対向している。本実施の形態の紫外線照射装置７０は、一例として空気取込口１２ｃの近傍に配置されている。
【００６７】
また紫外線照射装置７０は、例えばフィルター４０の正面に垂直な方向よりもフィルター４０の中央側に向けて紫外線を照射するように設けられる。一例として紫外線照射装置７０の光源である紫外線発光ダイオード７０ａの中心は、図６に示すようにフィルター４０の正面に垂直な方向よりもフィルター４０の中央側に向く。これにより、紫外線照射装置７０によって照射される紫外線の中心軸は、フィルター４０の中央側に向く。
【００６８】
また空気清浄機１００の内部には、一例として反射抑制部７１が形成されてもよい。反射抑制部７１は、紫外線照射装置７０によって照射された紫外線の反射を抑制する部位である。反射抑制部７１は、例えば紫外線照射装置７０及び空気取込口１２ｃの近傍に形成される。反射抑制部７１は、例えば前カバー１０及び側面カバー１２に表面を凹凸形状に加工することによって形成される。
【００６９】
なお反射抑制部７１は、例えばシボ加工によって形成されてもよい。また反射抑制部７１は、紫外線を吸収する材料によって形成されてもよい。また反射抑制部７１が形成される部位は本実施の形態に限定されるものではない。反射抑制部７１は、紫外線照射装置７０によって照射された紫外線の反射を抑制することができる場所であれば、任意の位置に形成されてよい。
【００７０】
ここで、前カバー１０を着脱させるための構造について説明する。例えば前カバー１０は、図５に示すように、爪部１０ｃを有する。爪部１０ｃは、例えば前カバー１０の上部に形成される。一例として爪部１０ｃは、下方向に向かって突出する。爪部１０ｃは、例えば２つ形成される。２つの爪部１０ｃはそれぞれ、例えば前カバー１０の上部のうちの右側部分と左側部分とに形成される。
【００７１】
一例として上部ユニット６０には、爪受部６９が形成される。爪受部６９は、爪部１０ｃが着脱自在に嵌め込まれる部位である。爪受部６９は、例えば図２及び図３に示すように操作表示部６４に形成される。本実施の形態において爪受部６９は、フィルター４０を保持するケーシングの上部に形成されている。なお爪受部６９が形成される位置は、本実施の形態に限られない。例えば爪受部６９は、枠体６１等に形成されていてもよい。
【００７２】
また前カバー１０には、例えば接続ラッチ１０ｄが設けられる。接続ラッチ１０ｄは、一例として前カバー１０の下部に設けられる。図５（ａ）は、前カバー１０の内面側の全体を示している。図５（ｂ）は、図５（ａ）のうちの点線で囲まれた部分、すなわち接続ラッチ１０ｄの周辺部分を示している。接続ラッチ１０ｄは、接続部の一例である。
【００７３】
前本体ケース２１の下部には、例えば図２及び図３に示すように、ラッチ受部２１ｄが設けられる。ラッチ受部２１ｄは、ケーシングに設けられる接続受部の一例である。接続ラッチ１０ｄとラッチ受部２１ｄとは、互いに着脱自在に接続される。なおラッチ受部２１ｄは、例えば側面カバー１２等に設けられてもよい。
【００７４】
また前カバー１０の下部には、例えば電気接続端子１０ｅが設けられる。電気接続端子１０ｅは、一例として電気配線等によって、紫外線照射装置７０に接続される。電気接続端子１０ｅと紫外線照射装置７０とを繋ぐ電気配線等は、例えば前カバー１０に内蔵される。電気接続端子１０ｅは、電気接続部の一例である。
【００７５】
前本体ケース２１の下部には、端子受部２１ｅが設けられる。端子受部２１ｅは、電気接続端子１０ｅに着脱自在に接続される。端子受部２１ｅは、電気接続受部の一例である。
【００７６】
電気接続端子１０ｅ及び端子受部２１ｅは、接続ラッチ１０ｄとラッチ受部２１ｄとが接続することによって互いに接続するように、形成及び配置される。つまり、電気接続部の一例である電気接続端子１０ｅは、ケーシングの一部を構成する前本体ケース２１にカバーの一例である前カバー１０が取り付けられることによって、電気接続受部の一例である端子受部２１ｅに接続される。一例として電気接続端子１０ｅは、接続ラッチ１０ｄの近傍に設けられる。また端子受部２１ｅは、一例としてラッチ受部２１ｄの近傍に設けられる。
【００７７】
ここで、使用者による前カバー１０の取り付け動作について簡潔に説明する。まず使用者は、前カバー１０を、下部が本体ケース２０から離れるように斜めに傾ける。言い換えると使用者は、前カバー１０を、上部が本体ケース２０に近づくように斜めに傾ける。使用者は、傾けた前カバー１０の爪部１０ｃを、爪受部６９に嵌め込む。そして使用者は、爪部１０ｃ及び爪受部６９を軸として、前カバー１０を回動させる。
【００７８】
使用者は、前カバー１０を回動させることによって、接続ラッチ１０ｄをラッチ受部２１ｄに接続させる。これにより、前カバー１０が取り付けられる。また、電気接続端子１０ｅと端子受部２１ｅとが接続される。
【００７９】
次に、制御装置の一例である基板ユニット５０について説明する。基板ユニット５０は、上述のように、基板５１を有する。基板５１は、空気清浄機１００に備えられた各機器を制御するための部位である。
【００８０】
基板５１は、例えば図示しない電気配線等によって、空気清浄機１００に接続された各機器に接続される。また基板５１は、例えば空気清浄機１００の外部の電源に、図示しない電源コード等を介して接続可能に形成される。基板ユニット５０は、上記の基板５１によって、空気清浄機１００に備えられた各機器に電力を供給する。制御装置の一例である基板ユニット５０は、電源供給部の一例でもある。
【００８１】
また図７は、実施の形態１の基板５１のブロック図である。基板５１は、例えば第１制御部５１ａ、第２制御部５１ｂ、第３制御部５１ｃ、電力制御部５１ｄ及び記憶部５１ｅを有する。基板５１は、例えば端子受部２１ｅに接続される。さらに基板５１は、例えば環境センサ６７及び埃センサ６８に接続される。また基板５１は、例えばファンユニット３０、紫外線照射装置７０及び操作表示部６４に接続される。
【００８２】
基板５１は、端子受部２１ｅと電気接続端子１０ｅとが接続することによって、紫外線照射装置７０に接続される。一例として基板５１の電力制御部５１ｄは、端子受部２１ｅに接続された電気接続端子１０ｅを介して、紫外線照射装置７０へ供給する電力を制御する。
【００８３】
第１制御部５１ａは、紫外線照射装置７０を制御する第１制御手段の一例である。また第１制御部５１ａは、例えば操作表示部６４からの信号に基づいてファンユニット３０を制御する機能を有する。第１制御部５１ａは、紫外線照射装置７０に、例えばファンユニット３０によって発生させられる気流が強いほど高出力の紫外線を照射させる。また第１制御部５１ａは、例えば電力制御部５１ｄに、ファンユニット３０によって発生させられる気流が強いほど高い電力を紫外線照射装置７０へ供給させてもよい。
【００８４】
第２制御部５１ｂは、紫外線照射装置７０を制御する第２制御手段の一例である。第２制御部５１ｂは、例えば埃センサ６８からの信号に基づいて紫外線照射装置７０を制御する。第２制御部５１ｂは、紫外線照射装置７０に、例えば埃センサ６８によって検出された埃の量が多いほど高出力の紫外線を照射させる。また第２制御部５１ｂは、例えば電力制御部５１ｄに、埃センサ６８によって検出された埃の量が多いほど高い電力を紫外線照射装置７０へ供給させてもよい。
【００８５】
第３制御部５１ｃは、紫外線照射装置７０を制御する第３制御手段の一例である。記憶部５１ｅには、例えば空気の温度及び湿度と菌及びウイルスの繁殖のしやすさとの関係の情報が予め記憶されている。第３制御部５１ｃは、記憶部５１ｅに記憶された情報と環境センサ６７の検出結果である信号とに基づいて、紫外線照射装置７０を制御する。
【００８６】
例えば第３制御部５１ｃは、環境センサ６７によって検出された温度及び湿度が菌及びウイルスの繁殖しやすい状態であった場合、紫外線照射装置７０により高出力の紫外線を照射させる。本実施の形態の第３制御部５１ｃは、紫外線照射装置７０に、環境センサ６７の検出結果に応じて照射する紫外線の出力を変更させる。また第３制御部５１ｃは、一例として電力制御部５１ｄに、環境センサ６７の検出結果に応じた電力を紫外線照射装置７０へ供給させてもよい。
【００８７】
また基板５１は、例えばルーバー駆動モータ６３に接続されてもよい。基板５１は、例えばルーバー駆動モータ６３を制御することによって、ルーバー６２の向きを変える。また基板５１は、例えばオートターンユニット９０に接続されてもよい。基板５１は、オートターンユニット９０を制御する機能を有してもよい。一例としてオートターンユニット９０は、基板５１からの信号に基づいて、本体部１の向きを変える。
【００８８】
図８は、実施の形態１の基板５１の構成例を示す図である。空気清浄機１００は、制御装置の一例として、基板ユニット５０を備える。基板ユニット５０は、基板５１を有する。この基板５１には、一例として、記憶回路、記憶回路に記憶された各種の制御プログラムを実行する演算処理部、演算処理部に対して信号を入出力する入出力回路及び時間を計測するタイマー回路が設けられる。記憶回路、演算処理部、入出力回路及びタイマー回路を、まとめて処理回路とする。
【００８９】
基板５１の第１制御部５１ａ、第２制御部５１ｂ、第３制御部５１ｃ、電力制御部５１ｄ及び記憶部５１ｅの各機能は、例えばこの処理回路により実現される。処理回路は、専用ハードウェア８０であってもよい。処理回路は、プロセッサ８１及びメモリ８２を備えていてもよい。処理回路は、一部が専用ハードウェア８０として形成され、更にプロセッサ８１及びメモリ８２を備えていてもよい。図８は、処理回路が、その一部が専用ハードウェア８０として形成され、更にプロセッサ８１及びメモリ８２を備えている場合の例を示している。
【００９０】
処理回路の一部が、少なくとも１つの専用ハードウェア８０である場合、処理回路には、例えば、単一回路、複合回路、プログラム化したプロセッサ、並列プログラム化したプロセッサ、ＡＳＩＣ、ＦＰＧＡ、又はこれらを組み合わせたものが該当する。
【００９１】
処理回路が少なくとも１つのプロセッサ８１及び少なくとも１つのメモリ８２を備える場合、第１制御部５１ａ、第２制御部５１ｂ、第３制御部５１ｃ、電力制御部５１ｄ及び記憶部５１ｅの各機能は、ソフトウェア、ファームウェア、又はソフトウェアとファームウェアとの組み合わせにより実現される。ソフトウェア及びファームウェアはプログラムとして記述され、メモリ８２に格納される。プロセッサ８１は、メモリ８２に記憶されたプログラムを読み出して実行することにより、各部の機能を実現する。プロセッサ８１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータあるいはＤＳＰともいう。メモリ８２には、例えば、ＲＡＭ、ＲＯＭ、フラッシュメモリー、ＥＰＲＯＭ及びＥＥＰＲＯＭ等の不揮発性又は揮発性の半導体メモリ、又は磁気ディスク、フレキシブルディスク、光ディスク、コンパクトディスク、ミニディスク及びＤＶＤ等が該当する。
【００９２】
このように、基板５１の第１制御部５１ａ、第２制御部５１ｂ、第３制御部５１ｃ、電力制御部５１ｄ及び記憶部５１ｅの各機能は、処理回路によって実現される。処理回路は、ハードウェア、ソフトウェア、ファームウェア、又はこれらの組み合わせによって、第１制御部５１ａ、第２制御部５１ｂ、第３制御部５１ｃ、電力制御部５１ｄ及び記憶部５１ｅの各機能を実現することができる。
【００９３】
次に、空気清浄機１００の動作について説明する。図９は、実施の形態１の空気清浄機１００の動作の一例を示すフローチャートである。空気清浄機１００は、例えば室内に設置された状態で使用される。使用者は、例えば空気清浄機１００の電源コードを外部の電源に接続する。次に使用者は、電源スイッチ６４ａを操作する。これにより、空気清浄機１００の電源がオンの状態となる（ステップＳ１）。
【００９４】
空気清浄機１００電源がオンの状態になると、例えば電力制御部５１ｄによって空気清浄機１００に備えられた各機器へ電力が供給される。例えばルーバー駆動モータ６３に電力が供給される。これによりルーバー駆動モータ６３が駆動する。ルーバー駆動モータ６３は、ルーバー６２を動かす。ルーバー６２が動くことによって、吹出口６１ａが開放される。
【００９５】
一例として基板５１は、吹出口６１ａから空気が吹き出される向きが水平方向に対して上向き４５度の向きになるように、ルーバー駆動モータ６３を制御する。水平方向に対して上向き４５度という吹出角度は、吹出口６１ａからより遠くまで空気を送ることによって室内の空気を効率的に循環させることができる吹出角度の一例である。
【００９６】
吹出口６１ａが開放されると、ファンユニット３０及び紫外線照射装置７０が駆動する。ファンユニット３０及び紫外線照射装置７０は例えば同時に駆動を開始する。これにより、空気清浄機１００の運転が開始する（ステップＳ２）。ファンユニット３０及び紫外線照射装置７０は、例えば基板５１によって駆動させられる。
【００９７】
ファンユニット３０が駆動することによって、空気取込口１２ｃから空気清浄機１００の内部へ空気が取り込まれる。空気取込口１２ｃから取り込まれた空気は、例えば図６に示すように、空気取込口１２ｃから吸込部１３を介してフィルター４０の正面へ向かって空気が流れる。フィルター４０の正面へ向かって流れた空気は、フィルター４０を通過する。フィルター４０を通過した空気は、清浄な空気となる。
【００９８】
フィルター４０によって清浄された空気は、ファンユニット３０によって、吹出口６１ａへ送られる。吹出口６１ａへ送られた清浄な空気は、例えば水平方向に対して上向き４５度の方向へ吹き出される。これにより、空気清浄機１００の外部へ清浄な空気が供給される。また紫外線照射装置７０は、フィルター４０に対して紫外線を照射する。これにより、例えばフィルター４０によって捕集された物質の除菌が行われる。
【００９９】
使用者は、例えば操作表示部６４の運転切替スイッチ６４ｂを操作することによって、ファンユニット３０によって発生させられる気流の強さを変更させる。第１制御部５１ａは、ファンユニット３０に、運転切替スイッチ６４ｂからの信号に基づいて、発生させる気流の強さを変更させる。また第１制御部５１ａは、例えばファンユニット３０の駆動状態に応じて照射する紫外線の出力を変更するように紫外線照射装置７０を制御する（ステップＳ３）。
【０１００】
ステップＳ３で第１制御部５１ａによって紫外線照射装置７０が制御されると、例えば第２制御部５１ｂは、埃センサ６８の検出結果に応じて紫外線照射装置７０を制御する（ステップＳ４）。またステップＳ４で第２制御部５１ｂによって紫外線照射装置７０が制御されると、例えば第３制御部５１ｃは、環境センサ６７の検出結果に応じて紫外線照射装置７０を制御する（ステップＳ５）。なお上記のステップＳ３からステップＳ５は、本例と異なる順序あるいは同時に実施されてもよい。空気清浄機１００の運転は、例えば使用者によって再び電源スイッチ６４ａが操作されることによって終了する。
【０１０１】
なお空気清浄機１００の動作は上記実施例に限定されるものではない。例えばファンユニット３０及び紫外線照射装置７０は、例えば一方が駆動を開始した一定時間経過後に他方が駆動を開始してもよい。また紫外線照射装置７０は、例えば駆動を開始してから一定時間経過後に駆動を停止してもよい。紫外線照射装置７０が駆動する時間の長さは、例えば環境センサ６７及び埃センサ６８の検出結果に応じて、基板５１によって調整されてもよい。
【０１０２】
上記実施例において吸込部１３は、フィルター４０の正面を含む平面と前カバー１０の内面を含む平面との間に形成される。また吸込部１３は、フィルター４０の正面方向から見た時にフィルター４０の外方に位置する。吸込部１３からフィルター４０の正面へは、急激に曲げられた状態で空気が流れ込む。このため、フィルター４０には、中央よりも吸込部１３に近い位置により多くの空気が流れ込む。フィルター４０には、中央よりも吸込部１３に近い位置により多くの物質が捕集される。
【０１０３】
上記実施例の紫外線照射装置７０は、フィルター４０の正面に対し、フィルター４０の中央よりも吸込部１３に近い位置に向かって紫外線を照射する。これにより、より少ない紫外線照射装置７０によって効率的にフィルター４０を除菌することができる。上記実施例によれば、低コストで効率よくフィルターを除菌することができる空気清浄機１００が得られる。
【０１０４】
なお紫外線照射装置７０の構成及び紫外線照射装置７０の設置位置等は、上記実施例に限られない。例えば紫外線照射装置７０は、紫外線発光ダイオード７０ａが発した紫外線の照射方向を調整するための反射板等を有していてもよい。また紫外線照射装置７０は、紫外線発光ダイオード７０ａの代わりに水銀灯等を光源として紫外線を照射する装置であってもよい。
【０１０５】
上記実施例の紫外線照射装置７０は、フィルター４０の中央よりも吸込部１３に近い位置で前カバー１０の内面に設けられる。これにより、フィルター４０のうち多くの物質が捕集される部分から紫外線照射装置７０までの距離が短くなる。これにより、より効率的にフィルター４０に捕集された物質の除菌が行われる。本例であれば、フィルター４０内での菌の繁殖等がより効果的に抑制される。
【０１０６】
上記実施例の紫外線照射装置７０は、着脱自在な前カバー１０に設けられている。これにより、使用者は容易に紫外線照射装置７０のメンテナンスを行うことができる。紫外線照射装置７０のメンテナンスが容易に行えるため、長期的に空気清浄機１００を使用した際の使用コストが削減される。
【０１０７】
上記実施例のＨＥＰＡフィルター４２には、長手方向に沿って山部と谷部とが連続して形成されている。また前カバー１０の内面には、ＨＥＰＡフィルター４２の長手方向に沿って複数の紫外線照射装置７０が設けられている。これにより、ＨＥＰＡフィルター４２の奥までより効果的に紫外線が照射される。
【０１０８】
上記実施例の空気取込口１２ｃは、フィルター４０の正面を含む平面を基準として前カバー１０の反対側となる位置に形成されている。一例として空気取込口１２ｃから取り込まれた空気は、前方に流れた後に側方に流れ、さらに後方に流れる。すなわち空気取込口１２ｃから取り込まれた空気は、より急激に曲げられる。これにより、フィルター４０には、中央よりも吸込部１３に近い位置により多くの物質が捕集される。上記実施例の空気清浄機１００であれば、フィルター４０に捕集された物質に対してより効率的に紫外線による除菌を行うことができる。なお空気清浄機１００の内部へ空気を取り込むための開口は、例えば空気取込口１２ｃの代わりに側面カバー１２に形成された貫通孔等でもよい。
【０１０９】
上記実施例の紫外線照射装置７０は、ファンユニット３０によって発生させられる気流が強いほど高出力の紫外線を照射する。ファンユニット３０が発生させる気流が強いほど、フィルター４０には多くの空気が流れ込む。すなわち、ファンユニット３０が発生させる気流が強いほど、フィルター４０には多くの物質が捕集される。上記実施例であれば、フィルター４０に捕集される物質の量に応じた効率的な除菌が実施される。またファンユニット３０が発生させる気流が弱い時には、紫外線照射装置７０が照射する紫外線の出力が低くなることにより空気清浄機１００の運転に必要なエネルギーが削減される。
【０１１０】
埃センサ６８によって検出された埃の量が多いほど高出力の紫外線を照射する。これにより、例えば空気中の埃が多い時には、高出力の紫外線による効率的な除菌が実施される。また、例えば空気中の埃が少ない時には、紫外線照射装置７０が照射する紫外線の出力が低くなることにより空気清浄機１００の運転に必要なエネルギーが削減される。
【０１１１】
同様に、上記実施例の紫外線照射装置７０は、環境センサ６７の検出結果に応じて照射する紫外線の出力を変更する。上記実施例であれば、空気の温度及び湿度等の環境に応じた効率的な除菌が可能で且つ省エネルギーな空気清浄機１００が得られる。
【０１１２】
なお空気清浄機１００は上記実施例以外にも、例えば空気中の臭い成分を検出する臭いセンサを備えてもよい。紫外線照射装置７０は、臭いセンサの検出結果に応じて照射する紫外線の出力を変更するものであってもよい。また例えば基板５１は、埃センサ６８によって検出された埃の量が多いほど強い気流をファンユニット３０に発生させる機能を有してもよい。
【０１１３】
また基板５１は、例えばファンユニット３０の駆動状態、環境センサ６７の検出結果及び埃センサ６８の検出結果に応じて、紫外線照射装置７０の駆動時間を変更させる機能を有してもよい。例えば紫外線照射装置７０は、埃センサ６８によって検出された埃が多いほど長時間の紫外線の照射を行ってもよい。例えば紫外線照射装置７０は、環境センサ６７の検出結果に応じた時間だけ紫外線の照射を行ってもよい。また紫外線照射装置７０はファンユニット３０によって発生させられる気流が強いほど長時間の紫外線の照射を行ってもよい。
【０１１４】
上記実施例の紫外線照射装置７０は、光源として紫外線発光ダイオード７０ａを有する。紫外線発光ダイオード７０ａは、例えば水銀灯等に比べて寿命の長い光源である。上記実施例であれば、空気清浄機１００の長期的な使用コストが軽減される。
【０１１５】
上記実施例の空気清浄機１００の使用者は、接続ラッチ１０ｄをラッチ受部２１ｄから取外してから爪部１０ｃを爪受部６９から取り外すことによって前カバー１０を取り外すことができる。使用者は、前カバー１０を取り外すことによってフィルター４０をメンテナンスすることができる。
【０１１６】
上記実施例の前カバー１０の下部には、電気接続端子１０ｅが設けられる。また前本体ケース２１の下部には、端子受部２１ｅが設けられる。紫外線照射装置７０には、端子受部２１ｅに接続された電気接続端子１０ｅから電力が供給される。すなわち紫外線照射装置７０には、端子受部２１ｅに接続された電気接続端子１０ｅから通電する。
【０１１７】
例えば空気清浄機１００の電源がオンの状態のままで使用者が前カバー１０を取り外した場合、電気接続端子１０ｅが端子受部２１ｅから取り外されることによって紫外線照射装置７０への通電が停止する。これにより、使用者へ紫外線が照射されてしまうことが防止される。
【０１１８】
また上記実施例において電気接続端子１０ｅ及び端子受部２１ｅは、接続ラッチ１０ｄとラッチ受部２１ｄとが接続することによって互いに接続するように、形成及び配置される。このため、例えば前カバー１０が正しく取り付けられなかった場合には、電気接続端子１０ｅと端子受部２１ｅとは接続されない。すなわち前カバー１０が正しく取り付けられなかった場合、紫外線照射装置７０には通電しない。上記実施例であれば、使用者へ紫外線が照射されてしまうことがより正確に防止される。
【０１１９】
なお電力制御部５１ｄは、例えば前カバー１０が取り外されると紫外線照射装置７０への電力供給を停止する機能を有してもよい。例えば爪受部６９には、前カバー１０の着脱を検出する着脱センサが設けられてもよい。例えば電力制御部５１ｄは、着脱センサからの信号に応じて、前カバー１０が取り外されると紫外線照射装置７０への電力供給を停止してもよい。本例であれば、上記実施例と同様に、使用者へ紫外線が照射されてしまうことが防止される。
【０１２０】
また空気清浄機１００は、例えば前カバー１０が再び取り付けられてから一定時間経過後に紫外線照射装置７０への通電を再開するように構成されてもよい。例えば電力制御部５１ｄは、着脱センサからの信号に応じて、前カバー１０が取り外された後に再び取り付けられると一定時間経過後に紫外線照射装置７０への電力供給を再開してもよい。本例であれば、使用者が前カバー１０を着脱させる際、使用者へ紫外線が照射されてしまうことがより正確に防止される。
【０１２１】
上記実施例の紫外線照射装置７０は、フィルター４０の正面に垂直な方向よりもフィルター４０の中央側に向けて紫外線を照射する。これにより、例えば空気取込口１２ｃ等から空気清浄機１００の外部へ紫外線が漏れることが防止される。
【０１２２】
また上記実施例において、前カバー１０及び側面カバー１２には、反射抑制部７１が形成されている。これにより、例えば空気清浄機１００の内部で反射した紫外線が空気清浄機１００の外部へ漏れることが防止される。上記実施例の空気清浄機１００であれば、使用者への紫外線の照射がより正確に防止される。
【産業上の利用可能性】
【０１２３】
本発明に係る空気清浄機は、例えば室内の空気を清浄するために利用される。
【符号の説明】
【０１２４】
１  本体部、  １０  前カバー（カバー）、  １０ａ  凹部、  １０ｂ  センサ開口、  １０ｃ  爪部、  １０ｄ  接続ラッチ（接続部）、  １０ｅ  電気接続端子（電気接続部）、  １１  後カバー、  １２  側面カバー、  １２ａ  手掛凹部、  １２ｂ  側面凹部、  １２ｃ  空気取込口（取込口）、  １３  吸込部、  ２０  本体ケース、  ２０ａ  上スクロールハウジング、  ２０ｂ  下スクロールハウジング、２０ｃ  第１上方開口、  ２０ｄ  第２上方開口、  ２１  前本体ケース、  ２１ａ  上開口、  ２１ｂ  下開口、  ２１ｄ  ラッチ受部（接続受部）、  ２１ｅ  端子受部（電気接続受部）、  ２２  後本体ケース、  ２２ａ  壁面、  ２２ｂ  仕切壁、  ３０  ファンユニット（気流発生手段）、  ３１  モータ、  ３１ａ  回転軸、  ３２  モータカバー、  ３３  翼、  ３４  ファンガード、  ４０  フィルター、  ４１  プレフィルター、  ４２  ＨＥＰＡフィルター、  ４３  脱臭フィルター、  ５０  基板ユニット、  ５１  基板、  ５１ａ  第１制御部（第１制御手段）、  ５１ｂ  第２制御部（第２制御手段）、  ５１ｃ  第３制御部（第３制御手段）、  ５１ｄ  電力制御部、  ５１ｅ  記憶部、  ５２  第１基板ケース、  ５３  第２基板ケース、  ６０  上部ユニット、  ６１  枠体、  ６１ａ  吹出口、  ６１ｂ  前面凹部、  ６２  ルーバー、  ６３  ルーバー駆動モータ、  ６４  操作表示部、  ６４ａ  電源スイッチ、  ６４ｂ  運転切替スイッチ、  ６４ｃ  運転状態表示部、  ６５  人検出装置、  ６５ａ  赤外線センサ、  ６６  センサ駆動モータ、  ６７  環境センサ（環境検出手段）、  ６８  埃センサ（埃検出手段）、  ６９  爪受部、  ７０  紫外線照射装置、  ７０ａ  紫外線発光ダイオード、  ７０ｂ  保持ケース、  ７１  反射抑制部、  ８０  専用ハードウェア、  ８１  プロセッサ、  ８２  メモリ  ９０  オートターンユニット、  ９１  ベース台、  ９２  底本体ケース、  １００  空気清浄機
【図１】
2017183538.tif 000003
【図２】
2017183538.tif 000004
【図３】
2017183538.tif 000005
【図４】
2017183538.tif 000006
【図５】
2017183538.tif 000007
【図６】
2017183538.tif 000008
【図７】
2017183538.tif 000009
【図８】
2017183538.tif 000010
【図９】
2017183538.tif 000011
【国際調査報告】
2017183538.tif 000012
2017183538.tif 000013
2017183538.tif 000014
2017183538.tif 000015